(57)【要約】 【課題】    処理するフィルムの変更に基づく改造に容易に対応することができるようにしたい。  【解決手段】    フィルムＦａ〜Ｆｄの幅方向の両縁部を適宜な間隔をもって把持する把持手段は延伸部Ｂと熱固定部Ｃにおいて相互に独立しており、熱固定部Ｃにおける把持手段はフィルムＦｂの幅方向の両縁部側でフィルムの両面側において回動する無端状移動体３１を有し、各縁部側における両面側の無端状移動体３１は互いに対応する位置にそれぞれ受台３２と受台に対し開閉するように軸支されて縁部を把持するクリップ３４とをそれぞれ備えており、延伸部Ｂ側における無端状移動体３１の反転個所にはクリップ３４を開放させて受台３２とクリップ３４の間にフィルムＦｂの各縁部が位置した状態においてクリップ３４を閉鎖させて，受台３２とクリップ３４の間にフィルムＦｂの縁部を把持させるクリップ開閉部材４０を設けた。  【選択図】  図１
2005349716.tif 000002
【特許請求の範囲】
【請求項１】
帯状のフィルムをその幅方向の両縁部において適宜な間隔をもって把持し予熱部と延伸部と熱固定部を順次通過させて、予熱部において該フィルムを延伸させるに充分な温度にまで加熱し、延伸部において該フィルムを所望の大きさに延伸させ、熱固定部において該フィルムを冷却して延伸した状態を持続させるフィルム延伸装置において、  
該フィルムの幅方向の両縁部を適宜な間隔をもって把持する把持手段は延伸部と熱固定部において相互に独立しており、該熱固定部における把持手段は該フィルムの幅方向の両縁部側で該フィルムの両面側において回動する無端状移動体を有し、各縁部側における両面側の無端状移動体は互いに対応する位置にそれぞれ受台と該受台に対し開閉するように軸支されて該縁部を把持するクリップとをそれぞれ備えており、該延伸部側における無端状移動体の反転個所には該クリップを開放させて該受台と該クリップの間に該フィルムの各縁部が位置した状態において該クリップを閉鎖させて該受台と該クリップの間に該フィルムの各縁部を把持せしめるクリップ開閉部材を設けてあることを特徴とするフィルム延伸装置。  
【請求項２】
上記請求項１に記載のフィルム延伸装置において、該各無端状移動体はその回動軸が該フィルムの両面に対し平行となるように配置されていることを特徴とするフィルム延伸装置。  
【発明の詳細な説明】
【技術分野】
【０００１】
本発明は、帯状の熱可塑性樹脂フィルム等をその幅方向の両縁部において適宜な間隔をもって把持し予熱部と延伸部と熱固定部を順次通過させて、予熱部において該フィルムを延伸させるに充分な温度にまで加熱し、延伸部において該フィルムを所望の大きさに延伸させ、熱固定部において該フィルムを冷却し延伸した状態を持続させるフィルム延伸装置に関するものである。
【背景技術】
【０００２】
従来のフィルム延伸装置としては、下記の特許文献１に示されるように、フィルムにおける幅方向の両縁部において適宜な間隔をもって把持する把持手段が予熱部と延伸部と熱固定部を順次通過して予熱部に戻るようになっているものや、下記の特許文献２に示されるように、延伸部と熱固定部で独立しているものがある。
【０００３】
【特許文献１】特開平５−９６６１９号公報
【０００４】
【特許文献２】特開平６−２３４１５５号公報
【発明の開示】
【発明が解決しようとする課題】
【０００５】
延伸させるフィルムとしては各種のものがあり、その種類毎に、特に熱固定に必要な温度管理が異なっており、上記特許文献１の従来技術では、全体を特定のフィルムに合わせて構成させてあるために、温度や搬送速度を調整できる範囲ではなんとか対応できるが、温度管理が大幅に異なるフィルムについては延伸処理できない。
【０００６】
上記特許文献２の従来技術では延伸部と熱固定部で把持手段の搬送が独立しているものの、把持手段の搬送路を形成している案内レールは延伸部から熱固定部にかけて一体なものとして構成されている。
【０００７】
そのために、処理するフィルムが変わることに基づいて、そのフィルムにあった温度管理をするために熱固定部の長さを変更したい場合には、案内レールの構成も変更しなければならず、大掛かりな改造が必要であった。
【０００８】
従って、本発明の目的は、処理するフィルムの変更に基づく改造に容易に対応することができるフィルム延伸装置を提供することにある。
【課題を解決するための手段】
【０００９】
上記目的を達成する本発明の特徴は、帯状のフィルムをその幅方向の両縁部において適宜な間隔をもって把持し予熱部と延伸部と熱固定部を順次通過させて、予熱部において該フィルムを延伸させるに充分な温度にまで加熱し、延伸部において該フィルムを所望の大きさに延伸させ、熱固定部において該フィルムを冷却して延伸した状態を持続させるフィルム延伸装置において、該フィルムの幅方向の両縁部を適宜な間隔をもって把持する把持手段は延伸部と熱固定部において相互に独立しており、該熱固定部における把持手段は該フィルムの幅方向の両縁部側で該フィルムの両面側において回動する無端状移動体を有し、各縁部側における両面側の無端状移動体は互いに対応する位置にそれぞれ受台と該受台に対し開閉するように軸支されて該縁部を把持するクリップとをそれぞれ備えており、該延伸部側における無端状移動体の反転個所には該クリップを開放させて該受台と該クリップの間に該フィルムの各縁部が位置した状態において該クリップを閉鎖させて該受台と該クリップの間に該フィルムの各縁部を把持せしめるクリップ開閉部材を設けたことにある。
【発明の効果】
【００１０】
本発明によれば、熱固定部などの特定の部位だけを改造することが可能で、装置全体を改造する必要がないために、フィルム変更に合わせた改造に容易に対応することができる。
【発明を実施するための最良の形態】
【００１１】
以下、図に示した本発明の一実施形態について説明する。
【実施例１】
【００１２】
図１は本発明になるフィルム延伸装置の概略斜視図、図２は図１に示したフィルム延伸装置の熱固定部側から延伸部側を見た場合の把持手段を示す部分図、図３は図１に示したフィルム延伸装置における熱固定部のクリップを開閉させるクリップ開閉部材について説明する図であり、そして、図４は図１に示したフィルム延伸装置における熱固定部の把持手段でフィルムを把持する状況を説明する図である。
【００１３】
図１において、１はこれから延伸しようとする透明で帯状の巻き込んであるフィルムＦａを繰り出す未処理フィルムロール、２は方向転換ローラ、３は張力調整ローラ、４は縁部切除カッタ、５は方向転換ローラ、６は切除した縁部のフィルムＦｃを巻き取る切除フィルムロール、７は延伸し熱固定後のフィルムＦｄを巻き取る処理フィルムロールである。
【００１４】
張力調整ローラ３と方向転換ローラ５の間には、予熱部Ａと延伸部Ｂと熱固定部Ｃの各領域がある。切除フィルムロール６と処理フィルムロール７はトルクモータなどによりフィルムＦｃ，Ｆｄを一定速度で巻き取っており、未処理フィルムロール１は切除フィルムロール６と処理フィルムロール７側から掛かる引張力に抗しつつ未処理のフィルムＦａを繰り出している。
【００１５】
張力調整ローラ３は未処理フィルムＦａに掛っている張力が所望の範囲にあるように未処理フィルムＦａの搬送方向である図において右上から左下の方向に沿って前後するようになっているが、その張力調整機構は本発明と直接関係しないので説明を省略する。
【００１６】
予熱部Ａには図示を省略した熱源があり、フィルムＦａが予熱部を通過する間に延伸部ＢでのフィルムＦａの延伸に必要な温度にまで加熱している。なお、１１は予熱部ＡでフィルムＦａの両縁部を上下（フィルムＦａの両面側）から磁気的に挟んで把持する無端状マグネットベルト、１２は４本の各無端状マグネットベルトを駆動するサーボモータである。
【００１７】
無端状マグネットベルト１１はフィルムＦａから図示していない熱源までの距離を一定に保ち、予熱部ＡでのフィルムＦａに対する加熱が均一になるようにしている。
【００１８】
延伸部ＢではフィルムＦａの両縁部を把持する複数のチャック２１（図１では両側に合計８個）があり、各チャック２１はフィルムＦａの搬送方向とこの搬送方向に直交したフィルムＦａの幅方向にそれぞれ移動して、それらの移動速度に従ってフィルムＦａを搬送方向である縦方向と幅方向である横方向に延伸する。
【００１９】
フィルムＦａの幅方向における横に１対の無端状の走行レール２２（図１では片方の走行レールのみを記載している）があり、両走行レール２２にかけて複数の移動体２３（図１では４個）をフィルムＦａの幅方向に渡し掛けてあり、各移動体２３は２個ずつチャック２１を幅方向に移動可能に保持している。各チャック２１はフィルムＦａの中心方向に偏倚力を受けており、その偏倚をガイドプレート２４に接したカムフォロワ２５で拘束している。
【００２０】
ガイドプレート２４はフィルムＦａの種類に応じて傾斜角度を変更できるように固定されており、ガイドプレート２４の傾斜は幅方向でのフィルムＦａの延伸量を決める。
【００２１】
各移動体２３は、それぞれサーボモータ２６により駆動されるスプロケット２７と従動スプロケット２８の間に巻き掛けてある無端チェーン２９により予熱部Ａ側から熱固定部Ｃ側に向けてフィルムＦａの搬送方向に個別に移動し、熱固定部Ｃ側に行ったら、走行レール２２に案内されて予熱部Ａ側に戻るようになっている。各移動体２３における各チャック２１は予熱部Ａ側においてフィルムＦａを把持し、熱固定部Ｃ側において把持を解くようになっているが、チャック２１の構成はどのようなものでも構わないので、詳細な説明は省略する。
【００２２】
各サーボモータ２６は個々の移動体２３と１対１の対応関係をもっており、延伸部Ｂでの移動体２３の位置に応じて、搬送方向での移動速度を変更できるようになっていて、その速度上昇の度合いはフィルムＦａの搬送方向（あるいは縦方向）での延伸量を決める。
【００２３】
フィルムＦａの搬送方向における右側と左側に位置するガイドプレート２４の傾斜角と各サーボモータ２６の速度は、任意に設定できる。例えば、ガイドプレート２４を搬送方向と平行な真直ぐとしてサーボモータ２６を順次増速させれば縦方向のみの延伸となり、両ガイドプレート２４の傾斜角を同一としてサーボモータ２６を等速とすれば横方向のみの延伸となり、両ガイドプレート２４の傾斜角を同一としてサーボモータ２６を順次増速させれば縦横両方向への延伸となる。
【００２４】
さらに両ガイドプレート２４の傾斜角を異なったものとして左右の各サーボモータ２６の増速度合いも異なったものとすれば、４５度などの斜め方向にフィルムＦａを延伸させることができる。
【００２５】
このように、ガイドプレート２４の傾斜角や各サーボモータ２６の速度を調整することで、フィルムＦａを任意の比率で延伸することができる。
【００２６】
個々の移動体２３は延伸部Ｂの下流側に達するとフィルムＦｂの把持を開放し、走行レール２２により上流側に戻る。
【００２７】
熱固定部Ｃには、延伸したフィルムＦｂの搬送方向に沿って、その両縁の上下両面側に無端チェーン（無端状移動体）３１がある。各無端チェーン３１の回動軸はフィルムＦｂの両面に対し平行となるように配置してある。
【００２８】
図２に示すように、下側の各無端チェーン３１には受台３２を固定してあり、受台３２に対向するように上側の各無端チェーン３１にはクランク状の保持部材３３を介して受台３２に対し開閉するように軸支したクリップ３４を設けてある。
【００２９】
３５はクリップ３４の支軸であり、３６はクリップ３４を受台３２の方向に偏倚させて受台３２とともにフィルムＦｂを把持するようにするトーションバネで、常態ではクリップ３４はトーションバネ３６により受台３２の方向に偏倚して閉じるようになっており、閉じることでフィルムＦｂを把持（チャック）する。
【００３０】
上下の各無端チェーン３１はチェーンガイドプレート３７，３８に沿って走行し、往路と復路の位置が規制され、特に往路側の走行位置は平坦になされて、受台３２とクリップ３４とで把持したフィルムＦｂを平坦に維持する。
【００３１】
図１に戻って、３９は各無端チェーン３１を駆動するサーボモータである。各チャック２１を駆動するサーボモータ２６は各チャック２１が予熱部Ａ側に周回してきたところで予熱部Ａの無端状マグネットベルト１１と同じ速度にあわせるが、延伸部Ｂの下流側では延伸比率に基づいた速度で各チャック２１を駆動している。従って、サーボモータ３９は延伸部Ｂの下流側での各チャック２１の移動速度で両無端チェーン３１を駆動して、フィルムＦａ〜Ｆｄに余分な弛みや期待しない伸びが発生しないようにしている。
【００３２】
次に、図３，図４により熱固定部Ｃでのクリップ３４による延伸したフィルムＦｂに対する把持について、説明する。
【００３３】
両図において、４０はクリップ開閉部材で、図３（ａ）のように延伸部Ｂ近くの熱固定部Ｃにおける各無端チェーン３１の周回部（反転個所）に設けてあり、トーションバネ３６により閉じているクリップ３４を受台３２に対し開閉する。
【００３４】
クリップ３４とクリップ開閉部材４０の位置関係をフィルムＦｂの上方から見ると、図３（ｂ）のように中央部に外側（幅方向）に膨らんだ部分がある。各無端チェーン３１の回動に従ってクリップ３４が矢印で示す方向に移動する際、クリップ３４はクリップ開閉部材４０の屈曲した表面に沿って摺動し、クリップ３４はクリップ開閉部材４０における上側の屈曲部で受台３２から離す方向に押されて、図４（ａ）のように受台３２から離れる方向に移動して、開いた状態となる。
【００３５】
そして、下側の屈曲部においてトーションバネ３６により受台３２の方向に偏倚して閉じて、フィルムＦｂを受台３２との間に把持する。クリップ３４が閉じる時に、クリップ３４がフィルムＦｂと接触する面はフィルムＦｂと平行になっており、支軸３５の中心を受台３２の中心から若干ずらしてあることにより、受台３２とともにフィルムＦｂに密着しセルフロック状態となって確実に把持する。受台３２とクリップ３４がフィルムＦｂを把持する部分は高弾性の素材で形成しておくと、フィルムＦｂに与える跡はかすかである。
【００３６】
クリップ３４が受台３２とフィルムＦｂを把持すると、延伸部Ｂにおけるチャック２１がフィルムＦｂを開放し、フィルムＦｂの受渡は完了する。なお、図２では延伸部Ｂにおけるチャック２１と熱固定部Ｃにおける受台３２およびクリップ３４が同時に前後した位置でフィルムＦｂを把持している状態を示している。
【００３７】
熱固定部Ｃにおける受台３２およびクリップ３４がフィルムＦｂを把持する幅方向の位置は、延伸部Ｂにおけるチャック２１がフィルムＦｂを把持する幅方向の位置より内側の中心よりとしており、延伸部Ｂにおけるチャック２１がフィルムＦｂを開放したときにフィルムＦｂの把持状況に変化を生じないようにしている。
【００３８】
熱固定部Ｃの下流側では、受台３２とクリップ３４が各無端チェーン３１の周回でフィルムＦｂから徐々に離れてフィルムＦｂを開放するので、上流側に設けてあるクリップ開閉部材４０の如きものは設けていない。
【００３９】
チャック２１や受台３２およびクリップ３４がフィルムＦｂを把持した個所には把持跡が残るので、縁部切除カッタ４で把持跡が残っている縁部を切除する。紙面の都合で縁部切除カッタ４により切除する両縁部におけるフィルムＦｃの幅は大きく描いているが、実際上は切り残された中央側のフィルムＦｄの幅より充分狭い。
【００４０】
対をなす各受台３２とクリップ３４は、各無端チェーン３１の回動により延伸部Ｂ側に戻り、再びフィルムＦｂを把持することになる。
【００４１】
以上説明したように、各無端チェーン３１およびこれに連結された対をなす各受台３２とクリップ３４は、延伸部Ｂ側のチャック２１の駆動系と独立しているので、フィルムＦａの変更に合わせて、熱固定部Ｃの駆動系だけを搬送方向や幅方向において簡単に改造することができる。
【００４２】
また、各受台３２とクリップ３４は個別の無端チェーン３１に設けているから、部品交換の際は交換したい受台３２かクリップ３４の一方を交換すればよく、経費を節減できるだけでなく、交換作業も簡単である。
【図面の簡単な説明】
【００４３】
【図１】本発明になるフィルム延伸装置の概略斜視図である。
【図２】図１に示したフィルム延伸装置の熱固定部側から延伸部側を見た場合の把持手段を示す部分図である。
【図３】図１に示したフィルム延伸装置における熱固定部のクリップを開閉させるクリップ開閉部材について説明する図である。
【図４】図１に示したフィルム延伸装置における熱固定部の把持手段でフィルムを把持する状況を説明する図である。
【符号の説明】
【００４４】
Ａ‥予熱部  
Ｂ‥延伸部  
Ｃ‥熱固定部  
Ｆａ，Ｆｂ‥フィルム  
１‥未処理フィルムロール  
７‥処理フィルムロール  
２１‥チャック  
２２‥走行ガイド  
２３‥移動体  
２４‥ガイドプレート  
２６，３９‥サーボモータ  
２９，３１‥無端チェーン  
３２‥受台  
３４‥クリップ
【図１】
2005349716.tif 000003
【図２】
2005349716.tif 000004
【図３】
2005349716.tif 000005
【図４】
2005349716.tif 000006